(57)【要約】  液晶表示装置１００は、液晶パネル１２と、バックライト１４と、第１筐体１６と、第２筐体１８とを備えている。バックライト１４は、液晶パネル１２の背面側に対向配置されている。第１筐体１６は、液晶パネル１２を支持するとともに、液晶パネル１２の周囲に延びた周縁部２２を有している。第２筐体１８は、バックライト１４が構成され、第１筐体１６の周縁部２２の内側に重ねられた周縁部２４を有している。第２筐体１８の周縁部２４には取付穴２６が形成されている。そして、第１筐体１６の周縁部２２には、第２筐体１８の周縁部２４の取付穴２６を通して、第２筐体１８の周縁部２４の内側に重ねられて接合された取付片部２８が設けられている。
2011058846.tif 000002
【特許請求の範囲】
【請求項１】
液晶パネル；
前記液晶パネルの背面側に対向配置されたバックライト；
前記液晶パネルを支持するとともに、前記液晶パネルの周囲に延びた周縁部を有する第１筐体；
前記バックライトが構成され、前記第１筐体の周縁部の内側に重ねられた周縁部を有する第２筐体；
前記第２筐体の周縁部に形成された取付穴；及び、
前記第１筐体の周縁部に設けられ、前記第２筐体の周縁部の取付穴を通して、前記第２筐体の周縁部の内側に重ねられて接合された取付片部；
を有する、液晶表示装置。
【請求項２】
前記液晶パネルの周縁部にフレキシブル配線基板を介在させて接続されたプリント基板；及び、
前記液晶パネルの周縁部、前記フレキシブル配線基板及び前記プリント基板の背面を支持する基板支持体；を備え、
前記プリント基板及び前記基板支持体は、前記第１筐体と前記第２筐体との間に挟まれている、請求項１に記載された液晶表示装置。
【請求項３】
前記取付片部は、前記第１筐体の周縁部の一部を内側に折り曲げられている、請求項１又は２に記載された液晶表示装置。
【請求項４】
前記第１筐体と前記第２筐体は、それぞれ導電性を有する材料で構成されている、請求項１から３までの何れか一項に記載された液晶表示装置。
【請求項５】
前記第２筐体の周縁部と前記第１筐体の取付片部とがビス止めされた、請求項４に記載された液晶表示装置。
【発明の詳細な説明】
【技術分野】
【０００１】
本発明は、液晶表示装置に関する。
本出願は、２００９年１１月１６日に出願された日本国特許出願２００９−２６０６５６号に基づく優先権を主張している。当該基礎出願の全内容は本明細書中に参照として組み入れられている。
【背景技術】
【０００２】
液晶表示装置は、液晶パネルと、バックライトとを備えている。かかる液晶パネルとバックライトは、それぞれ筐体により支持されている。液晶パネルは、画素が形成された表示領域の周囲を囲む額縁形状の筐体（「ベゼル」とも呼ばれる）に装着される。バックライトは、液晶パネルの背面に対向する前面側が開口した筐体（「バックライトシャーシ」とも呼ばれる）に構成されている。液晶パネルとバックライトは、液晶パネルの背面側にバックライトが対向するように組み付けられる。ここでは便宜上、液晶パネルについて「前面」は表示側の面、「背面」はその裏面を意味するものとする。【０００３】
かかる液晶表示装置の構成について、例えば、特許文献１には、ベゼルを金属製とし、ケースやシャーシなどの金属部材に接続してグランドを構成することが開示されている。この場合、ベゼルは、電磁波を遮蔽する効果を有し、外部にノイズを発生させる影響をある程度抑制することができる（ＥＭＩ：Electromagnetic Interference）。
【先行技術文献】
【特許文献】
【０００４】
【特許文献１】日本国特許出願公開２００８−９６８３５号公報
【発明の概要】
【発明が解決しようとする課題】
【０００５】
ところで、電磁波を遮蔽する効果を向上させるには、液晶パネルの筐体（ベゼル）とバックライトの筐体（バックライトシャーシ）との導通を良くし、液晶パネルの筐体のグランドを強化するとよい。液晶パネル２０１の筐体（ベゼル）とバックライト２０３の筐体（バックライトシャーシ）との導通を良くするには、例えば、図５に示すように、液晶パネル２０１の筐体（ベゼル２０２）とバックライト２０３の筐体（バックライトシャーシ２０４）とに導電性のシート２０５を貼り付けて両者を導通させるとよい。これにより、ベゼル２０２のグランドが強化される。このため、電磁波を遮蔽する効果が向上することが期待できる。しかしながら、液晶パネル２０１とバックライト２０３を組み付ける際に、両者の筐体（ベゼル２０２とバックライトシャーシ２０４）に導電性のシート２０５を貼り付ける工程が必要であるために、液晶パネル２０１とバックライト２０３の組み付け作業性が悪くなる。【０００６】
本発明は、液晶パネルの筐体（ベゼル）とバックライトの筐体（バックライトシャーシ）との導通を良くすることができる新規な構造を提案する。
【課題を解決するための手段】
【０００７】
本発明に係る液晶表示装置は、液晶パネル；液晶パネルの背面側に対向配置されたバックライト；液晶パネルを支持するとともに、液晶パネルの周囲に延びた周縁部を有する第１筐体；バックライトが構成され、第１筐体の周縁部の内側に重ねられた周縁部を有する第２筐体；第２筐体の周縁部に形成された取付穴；及び、第１筐体の周縁部に設けられ、第２筐体の周縁部の取付穴を通して、第２筐体の周縁部の内側に重ねられて接合された取付片部；を有している。【０００８】
かかる液晶表示装置によれば、第１筐体の周縁部に設けられた取付片部を、第２筐体の周縁部の取付穴に通すことによって、第１筐体の取付片部を第２筐体の周縁部の内側に重ねることができる。このため、第１筐体と第２筐体とを組み付ける作業性もよい。また、第１筐体と第２筐体は、それぞれ導電性を有する材料で構成されていてもよい。この場合、第１筐体と第２筐体とが取付片部を通じて接合されているので、第１筐体と第２筐体との導通が良く、EMIの低減を図ることができる。【０００９】
また、この場合、液晶パネルの周縁部にフレキシブル配線基板を介在させて接続されたプリント基板；及び、液晶パネルの周縁部、フレキシブル配線基板及びプリント基板の背面を支持する基板支持体；を備えていてもよい。さらに、この場合には、プリント基板及び基板支持体は、第１筐体と第２筐体との間に挟まれているとよい。【００１０】
また、第１筐体の取付片部は、第１筐体の周縁部の一部を内側に折り曲げられていてもよい。この場合、例えば、第１筐体をプレス加工する際に、第１筐体の周縁部の一部を切断し、内側に折り曲げるとよい。また、第２筐体の周縁部と第１筐体の取付片部とは、ビス止めするとよい。
【図面の簡単な説明】
【００１１】
【図１】本発明の一実施形態に係る液晶表示装置を示す分解斜視図である。
【図２】本発明の一実施形態に係る液晶表示装置の第１筐体と第２筐体の組み付け部分を示す部分断面図。
【図３】本発明の一実施形態に係る液晶表示装置の液晶パネルを模式的に示す図。
【図４】本発明の一実施形態に係る液晶表示装置の第１筐体と第２筐体の組み付け部分を示す部分断面図。
【図５】液晶パネルの筐体とバックライトの筐体とに導電性のシートを貼り付けた形態を例示する断面図。
【発明を実施するための形態】
【００１２】
以下、本発明の一実施形態に係る液晶表示装置を図面に基づいて説明する。なお、同じ作用を奏する部材又は部位には適宜に同じ符号を付している。また、各図における寸法関係（長さ、幅、厚さ等）は、必ずしも実際の寸法関係を正確に反映するものではない。
【００１３】
図１は、液晶表示装置１００の分解斜視図である。図２は、液晶表示装置１００の縦断面を部分的に示す縦断面図である。また、図２において、符号「Ｆｒ」は、液晶パネルについての前面側を示し、「Ｒｅ」は背面側を示している。なお、図２は、第１筐体１６と第２筐体１８の組み付け部分を示している。
【００１４】
≪概略≫
液晶表示装置１００は、図１及び図２に示すように、液晶パネル１２と、バックライト１４と、第１筐体１６と、第２筐体１８とを備えている。バックライト１４は、液晶パネル１２の背面側に対向配置されている。第１筐体１６は、液晶パネル１２を支持するとともに、液晶パネル１２の周囲に延びた周縁部２２を有している。第２筐体１８は、バックライト１４が構成され、第１筐体１６の周縁部２２の内側に重ねられた周縁部２４を有している。第２筐体１８の周縁部２４には取付穴２６が形成されている。そして、第１筐体１６の周縁部２２には、第２筐体１８の周縁部２４の取付穴２６を通して、第２筐体１８の周縁部２４の内側に重ねられて接合された取付片部２８が設けられている。
【００１５】
かかる液晶表示装置１００によれば、第１筐体１６の周縁部２２に設けられた取付片部２８を、第２筐体１８の周縁部２４の取付穴２６に通すことによって、第１筐体１６の取付片部２８を第２筐体１８の周縁部２４の内側に重ねることができる。このため、第１筐体１６と第２筐体１８とを組み付ける作業性もよい。また、第１筐体と第２筐体は、それぞれ導電性を有する材料で構成されているとよい。この場合、第１筐体１６と第２筐体１８とが取付片部２８を通じて接合されているので、第１筐体１６と第２筐体１８との導通が良く、EMIの低減を図ることができる。
【００１６】
以下、この液晶表示装置１００をより詳細に説明する。
【００１７】
≪液晶パネル１２≫
図３は、液晶パネル１２を模式的に示している。この実施形態では、液晶パネル１２は、略矩形のパネルであり、図２及び図３に示すように、互いに対向する一対の透光性のガラス基板３１，３２の間に液晶層３３が形成されたパネル部材である。また、液晶パネル１２の両面には、図２に示すように、偏光板３４、３６が貼り付けられている。一対のガラス基板３１，３２のうち、一方はカラーフィルタ基板３１であり、他方がアレイ基板３２である。液晶パネル１２には、マトリクス状に複数の画素が形成されている。
【００１８】
カラーフィルタ基板３１は、図示は省略するが、各画素に対応させて、ＲＧＢの有色のフィルタを有している。また、カラーフィルタ基板（ＣＦ基板）３１には、アレイ基板３２に対向する面に対向電極が設けられている。対向電極は、例えば、透明な導電材料であるＩＴＯ（Indium Tin Oxide：インジウム酸化スズ）からなる。カラーフィルタ基板３１側の対向電極は、コントロール基板５２に接続されており、所定の基準電位に制御されている。
【００１９】
アレイ基板３２には、画素に対応させて画素電極Ａと、薄膜トランジスタ４２（ＴＦＴ：Thin Film Transistor）とが設けられている。各画素の画素電極Ａは、例えば、透明な導電材料であるＩＴＯからなる。薄膜トランジスタ４２は、アレイ基板３２に縦横に配線されたソース配線４４とゲート配線４６に接続されている。なお、図３では、各ソース配線４４と各ゲート配線４６を区別するために括弧内に符号を添えている。ソース配線４４とゲート配線４６は、液晶パネル１２の周縁部にフレキシブル配線基板４７、４９（図１参照）を介在させて設けられたソースドライバ４８とゲートドライバ５０に接続されている。ソースドライバ４８やゲートドライバ５０は、それぞれプリント基板に構成されている。フレキシブル配線基板４７、４９は、所要の柔軟性を有する配線基板である。プリント基板４８、５０は、基板に所要の機能を奏する集積回路が実装されている。
【００２０】
≪基板支持体７０≫
また、この液晶表示装置１００は、図１及び図２に示すように、基板支持体７０を備えている。基板支持体７０は、液晶パネル１２の周縁部、フレキシブル配線基板４７、４９及びプリント基板４８、５０の背面を支持する部材である。この実施形態では、プリント基板４８、５０は、フレキシブル配線基板４７、４９を折り曲げて、第１筐体１６の内側面に沿って装着された状態で、背面側に基板支持体７０が装着されている。この実施形態では、基板支持体７０は、樹脂などの絶縁体で形成されており、フレキシブル配線基板４７、４９及びプリント基板４８、５０に作用する力を緩和する緩衝材としても機能する。
【００２１】
ソースドライバ４８及びゲートドライバ５０は、図３に示すように、それぞれコントロール基板５２に接続されている。そして、コントロール基板５２からソースドライバ４８、ゲートドライバ５０、ソース配線４４及びゲート配線４６を通じて、各画素電極Ａに、画像に応じた電圧が供給される。これにより、液晶層３３の液晶が画素毎に操作されて、背面側に配置されたバックライト１４から照射される光の透過率が制御されている。
【００２２】
≪バックライト１４≫
バックライト１４は、図２に示すように、液晶パネル１２の背面に光を照射する装置である。例えば、図２に示すように、複数の光源６２を、液晶パネルの背面に対向配置した構成が採用されている。光源６２には、例えば、冷陰極管（Cold Cathode Fluorescent Lamp-CCFL）や、発光ダイオード（LED：Light-Emitting Diode）が採用されている。また、液晶パネル１２の背面の一辺に沿って光源を配置し、導光板を通じて液晶パネルの背面に光を照射する構成（いわゆるエッジライト方式）が採用される場合もある。この実施形態では、バックライト１４は、第２筐体１８に構築されている。液晶パネル１２は、第１筐体１６に支持されており、第１筐体１６と第２筐体１８とを組み付けることによって、液晶パネル１２の背面側にバックライト１４を対向配置している。
【００２３】
≪第１筐体１６≫
第１筐体１６は、図１及び図２に示すように、液晶パネル１２を支持する筐体であって、液晶パネル１２の周囲に延びた周縁部２２を有している。この実施形態では、第１筐体１６は、液晶パネル１２の縁を囲む形状（額縁形状）の筐体であり、液晶パネル１２の縁の前面と側面を囲っている。第１筐体１６の周縁部２２には、第２筐体１８に接合される取付片部２８が設けられている。この実施形態では、取付片部２８は、第１筐体１６の周縁部の一部に切り込みを入れて内側に折り曲げられている。第１筐体１６は、液晶パネル１２から不要輻射ノイズが生じるのを防止するべく、導電性の材料、例えば、アルミや鉄などの金属で構成するとよい。第１筐体１６は、例えば、板金素材をプレス加工によって所定形状に成形するとよい。
【００２４】
≪第２筐体１８≫
第２筐体１８は、バックライト１４が構成された筐体である。この実施形態では、第２筐体１８は、液晶パネル１２に対向する前面側が開口した矩形の筐体である。第２筐体１８は、第１筐体１６と同様に、液晶パネル１２から不要輻射ノイズが生じるのを防止するべく、導電性の材料、例えば、アルミや鉄などの金属製の筐体で構成するとよく、板金素材をプレス加工によって所定形状に成形するとよい。この実施形態では、第２筐体１８は、図２に示すように、液晶パネル１２の背面に対向させて、反射板６４が配置されており、当該反射板６４の上に光源６２が並べられている。この実施形態では、光源６２には、冷陰極管が採用されている。また、第２筐体１８は、液晶パネル１２に対向するように、光源６２を配置する光源配置部（図示省略）を有し、そこから周縁部を立ち上げている。
【００２５】
また、この実施形態では、液晶パネル１２とバックライト１４との間には、光学シート７２と拡散シート７４が装着されている。光学シート７２及び拡散シート７４は、バックライト１４の前面側の開口の周縁部に装着されている。第２筐体１８の周縁部の立ち上がった部位７８（パネル支持部）は、図２に示すように、第１筐体１６と第２筐体１８が組み付けられた際に、基板支持体７０の背面側を支持する部位になる。このため、当該部位７８は、基板支持体７０の背面側の形状に合わせて成形されている。
【００２６】
第２筐体１８の周縁部２４は、第１筐体１６の周縁部２２の内側に重ねられている。この液晶表示装置１００では、図２及び図４に示すように、第２筐体１８の周縁部２４に、取付穴２６が形成されている。そして、第１筐体１６の周縁部２２に設けられた取付片部２８は、第２筐体１８の周縁部２４に形成された取付穴２６を通して、第２筐体１８の周縁部２４の内側に重ねられて接合されている。この実施形態では、第２筐体１８の取付穴２６は、取付片部２８が挿通し得る形状に形成されている。また、この実施形態では、取付片部２８を取付穴２６に通して第１筐体１６を第２筐体１８に組み付けた際に、取付片部２８は、第２筐体１８の内側に重なるように折り曲げられている。
【００２７】
また、この実施形態では、図４に示すように、液晶パネル１２の周縁部、フレキシブル配線基板４７及びプリント基板４８（ソースドライバ）の背面に基板支持体７０が装着されている。第１筐体１６と第２筐体１８を組み付ける際に、プリント基板４８と基板支持体７０は、図２に示すように、第１筐体１６と第２筐体１８との間に挟まれる。この実施形態では、図４に示すように、第１筐体１６に、液晶パネル１２及び基板支持体７０を組み付けた状態で、第１筐体１６の取付片部２８を第２筐体１８の取付穴２６に挿通させる。さらに、第１筐体１６を第２筐体１８に対してスライドさせることによって、図２に示すように、第１筐体１６を第２筐体１８に組み付けることができる。また、この実施形態では、図２及び図４に示すように、第１筐体１６の取付片部２８及び第２筐体１８の取付穴２６は、液晶パネル１２の長辺側（第１筐体１６の周縁部２２のうち、ソースドライバ４８が設けられた側）に設けられている。この場合、第１筐体１６の取付片部２８及び第２筐体１８の取付穴２６は、液晶パネル１２の長辺側に設けられる。このため、液晶パネル１２の長辺側から組み付けることができ、第１筐体１６と第２筐体１８の組み付け作業が容易になる。
【００２８】
また、この実施形態では、取付片部２８と第２筐体１８の周縁部２４とは、ビス止めされている。具体的には、この実施形態では、図４に示すように、取付片部２８と、取付穴２６の近傍の所定位置に予めネジ穴２９ａ、２９ｂを開けている。そして、第１筐体１６と第２筐体１８とを組み付けた後で、当該ネジ穴２９ａ、２９ｂにビス２９を装着して、第１筐体１６の取付片部２８と第２筐体１８の周縁部２４とをビス２９で止めている。
【００２９】
≪第１筐体１６と第２筐体１８の組み付け≫
この液晶表示装置１００によれば、第１筐体１６の周縁部２２に設けられた取付片部２８を、第２筐体１８の周縁部２４の取付穴２６に通すことによって、第１筐体１６の取付片部２８を第２筐体１８の周縁部２４の内側に重ねることができる。このため、第１筐体１６と第２筐体１８とを組み付ける作業性もよい。また、第１筐体１６と第２筐体１８は、それぞれ導電性を有する材料で構成されているとよい。この場合、第１筐体１６と第２筐体１８とが取付片部２８を通じて接合されているので、第１筐体１６と第２筐体１８との導通が良く、EMIの低減を図ることができる。
【００３０】
また、この実施形態では、図２に示すように、液晶パネル１２の周縁部にフレキシブル配線基板４７を介在させて接続されたプリント基板４８、及び、液晶パネル１２の周縁部、フレキシブル配線基板４７及びプリント基板４８の背面を支持する基板支持体７０を備えている。そして、プリント基板４８及び基板支持体７０は、第１筐体１６と第２筐体１８との間に挟まれている。このため、第１筐体１６と第２筐体１８との間に、プリント基板４８の位置を安定させることができる。
【００３１】
また、この実施形態では、取付片部２８は、第１筐体１６の周縁部２２の一部を内側に折り曲げられている。この場合、第１筐体１６を板金素材から作成する場合に、プレス加工により、取付片部２８を設けることができる。また、取付穴２６についても、第２筐体１８を板金素材から作成する場合に、プレス加工の際に形成することができる。例えば、液晶表示装置１００の既存の筐体について、筐体を板金からプレス加工で製作している場合において、プレス金型に簡単な変更を加えることによって、上述したような取付穴２６と取付片部２８を設けることができる。このため、本発明は、既存の液晶表示装置１００への適用も容易である。
【００３２】
上述した実施形態では、第１筐体１６の取付片部２８と第２筐体１８の周縁部２４とをビス２９で止めている。この場合、ビス２９によって、取付片部２８と周縁部２４との導電性をより確実に確保することができる。この場合、ビス２９は、導電性の材料（例えば、鉄）が用いられていると良い。なお、取付片部２８と周縁部２４との接合は、導電性が確保されるとよく、ビス止めに限定されない。リベットなどの他の接合具でもよい。
【００３３】
以上、本発明の一実施形態に係る液晶表示装置を説明したが、本発明に係る液晶表示装置は、上述した実施形態に限定されない。
【００３４】
例えば、液晶表示装置の具体的構成、例えば、液晶パネルの構成、バックライトの構成などは、上述した実施形態に限定されず、種々の構成を適用することができる。また、各部材を構成する材料についても上述した例に限定されず、その機能に応じて、適宜、適当な材料を選択するとよい。また、取付穴及び取付片部の具体的な形状や成形方法についても、一例を示すに過ぎず、特に言及されない限りにおいて、上述した実施形態に限定されない。
【符号の説明】
【００３５】
１２  液晶パネル
１４  バックライト
１６  第１筐体（ベゼル）
１８  第２筐体（バックライトシャーシ）
２２  第１筐体の周縁部
２４  第２筐体の周縁部
２６  取付穴
２８  取付片部
２９  ビス
２９ａ、２９ｂ  ネジ穴
３１  カラーフィルタ基板
３１，３２  ガラス基板
３２  アレイ基板
３３  液晶層
３４、３６  偏光板
４２  薄膜トランジスタ
４４  ソース配線
４６  ゲート配線
４７、４９  フレキシブル配線基板
４８  ソースドライバ（プリント基板）
５０  ゲートドライバ（プリント基板）
５２  コントロール基板
６２  光源（冷陰極管）
６４  反射板
７０  基板支持体
７２  光学シート
７４  拡散シート
７６  段差
７８  第２筐体１８の周縁部の立ち上がった部位（パネル支持部）
１００  液晶表示装置
Ａ  画素電極
【図１】
2011058846.tif 000003
【図２】
2011058846.tif 000004
【図３】
2011058846.tif 000005
【図４】
2011058846.tif 000006
【図５】
2011058846.tif 000007
【手続補正書】
【提出日】平成24年10月23日(2012.10.23)
【手続補正１】
【補正対象書類名】特許請求の範囲
【補正対象項目名】全文
【補正方法】変更
【補正の内容】
【特許請求の範囲】
【請求項１】
液晶パネル；
前記液晶パネルの背面側に対向配置されたバックライト；
前記液晶パネルを支持するとともに、前記液晶パネルの周囲に延びた周縁部を有する第１筐体；
前記バックライトが構成され、前記第１筐体の周縁部の内側に重ねられた周縁部を有する第２筐体；
前記第２筐体の周縁部に形成された取付穴；及び、
前記第１筐体の周縁部に設けられ、前記第２筐体の周縁部の取付穴を通して、前記第２筐体の周縁部の内側に重ねられて接合された取付片部；
を有し、
前記第２筐体の周縁部と前記第１筐体の取付片部とがビス止めされている、液晶表示装置。
【請求項２】
前記液晶パネルの周縁部にフレキシブル配線基板を介在させて接続されたプリント基板；及び、
前記液晶パネルの周縁部、前記フレキシブル配線基板及び前記プリント基板の背面を支持する基板支持体；を備え、
前記プリント基板及び前記基板支持体は、前記第１筐体と前記第２筐体との間に挟まれている、請求項１に記載された液晶表示装置。
【請求項３】
前記取付片部は、前記第１筐体の周縁部の一部を内側に折り曲げられている、請求項１又は２に記載された液晶表示装置。
【請求項４】
前記第１筐体と前記第２筐体は、それぞれ導電性を有する材料で構成されている、請求項１から３までの何れか一項に記載された液晶表示装置。
【国際調査報告】
2011058846.tif 000008
2011058846.tif 000009